(57)【要約】【課題】ドレン管１４、冷媒管１６、電線１８の各片方端末部を通す配管の開口部が建物壁体の任意の箇所に設けられていても、エアコンを簡単に取り付けることができるエアコン室内機の取付ユニットを提供する。【解決手段】建物の壁体１２に固定され、同壁体１２に挿通されたドレン管１４、冷媒管１６、電線１８の各片方端末部を収納する箱体２０と、前記箱体２０の開口面に配設される蓋体２２とを備えた。エアコンを取り付ける際は、箱体２０の開口面の蓋体２２を取外し、箱体２０内に収納されたドレン管１４、冷媒管１６、電線１８の各片方端末部を室内機の各接続部に接続する。この後、同開口面に室内機を配置して固定する。【選択図】図１
0003121193.tif 000002
【実用新案登録請求の範囲】
【請求項１】
建物の壁体に固定され、同壁体に挿通されたドレン管、冷媒管、電線の各片方端末部を収納する箱体と、
前記箱体の開口面に配設される蓋体とを備えたことを特徴とするエアコン室内機の取付ユニット。
【請求項２】
請求項１に記載のエアコン室内機の取付ユニットにおいて、
前記箱体には、底面に、前記ドレン管の片方端末部を連結したドレン抜き孔を有するドレン受け皿を配設したことを特徴とするエアコン室内機の取付ユニット。
【請求項３】
請求項１又は２に記載のエアコン室内機の取付ユニットにおいて、
前記蓋体は、その表面に、色彩あるいは模様を付したものであることを特徴とするエアコン室内機の取付ユニット。
【考案の詳細な説明】
【技術分野】
【０００１】
本考案は、建物の壁体にエアコン室内機を取り付けるのに使用されるエアコン室内機の取付ユニットに関する。
【背景技術】
【０００２】
エアコン（冷暖房機能の、少なくとも一方を備えた装置）を設置する際には、室内機と室外機との間に、冷媒を流通させる２本の冷媒管と給電用又は送信用の複数本の電線とを布設すると共に、室内機内で発生した水分を屋外に排出するドレン管を布設する。
【０００３】
一般に、エアコンの冷媒管、電線及びドレン管は、一端が室内機に接続された後、束ねられテーピングされて建物の壁体を貫通されて室外機のある屋外に出される。壁体を横断する貫通孔には短い配管が設けられて冷媒管等を挿通し易くされている（特許文献１）。
【０００４】
近年、建物の建設中に、図４に示すように、ドレン管１４、冷媒管１６及び電線１８を壁体１２の中に挿通し、その両端末部のみを、それぞれ壁体１２に設けられた配管１９から外方に露出することが行われることがある。そして、エアコンを取り付ける場合は、室内側に露出されたドレン管１４、冷媒管１６及び電線１８の各端末部を、室内機側の冷媒管、電線及びドレン管にそれぞれ連結し、屋外側に露出された冷媒管１６と電線１８を、室外機側の冷媒管と電線にそれぞれ連結するというものである。冷媒管、電線及びドレン管を壁体の貫通孔等に通す作業が省略されるので、エアコン取付を簡単に行うことができる。
【特許文献１】特開平７−１７４３６２号公報
【考案の開示】
【考案が解決しようとする課題】
【０００５】
ここで、従来の技術には、次のような解決すべき課題があった。
室内機の冷媒管、電線及びドレン管の取付箇所が室内機を正面から見て左側に位置している場合には、冷媒管、電線及びドレン管を収納した配管開口部の右側に室内機設置スペースがあることが望ましい。しかし、冷媒管、電線及びドレン管を収納した配管が、建物の設計上、エアコンを設置し易い箇所に挿通されるとは限らない。また、室内機の冷媒管、電線及びドレン管の取付箇所が室内機を正面から見て左側に位置していることが多いけれども、室内機の構成が統一されていないからである。
【０００６】
例えば、図５（ａ）に示すように、室内機１０の正面から見て配管１９の開口部の右側に設置スペース２３がある場合には問題がない。しかし、建物の設計上、エアコン取付箇所に設けられた配管開口部の右側に適度のスペースが設けられないことがある。例えば、図５（ｂ）に示すように、配管１９が建物の柱３０の近辺に開口している場合には柱３０が邪魔になって室内機１０の冷媒管、電線及びドレン管の取付が煩雑で極めて困難になる。
【０００７】
本考案は以上の課題を解決するためになされたもので、ドレン管、冷媒管、電線の各片方端末部を通す配管の開口部が建物壁体の任意の箇所に設けられていても、エアコンを簡単に取り付けることができるエアコン室内機の取付ユニットを提供することを目的とする。
【課題を解決するための手段】
【０００８】
本考案の各実施例においては、それぞれ次のような構成により上記の課題を解決する。
〈構成１〉
建物の壁体に固定され、同壁体に挿通されたドレン管、冷媒管、電線の各片方端末部を収納する箱体と、上記箱体の開口面に配設される蓋体とを備えたことを特徴とするエアコン室内機の取付ユニット。
【０００９】
エアコンを簡単かつ短時間で取り付けることができ、作業の簡略化が図れる。
【００１０】
〈構成２〉
構成１に記載のエアコン室内機の取付ユニットにおいて、上記箱体には、底面に、上記ドレン管の片方端末部を連結したドレン抜き孔を有するドレン受け皿を配設したことを特徴とするエアコン室内機の取付ユニット。
【００１１】
室内機のドレン管をドレン受け皿の上面の任意の位置に配置するだけなので、エアコンの取付工事が簡便になる。
【００１２】
〈構成３〉
構成１又は２に記載のエアコン室内機の取付ユニットにおいて、上記蓋体は、その表面に、色彩あるいは模様を付したものであることを特徴とするエアコン室内機の取付ユニット。
【００１３】
蓋体の表面に模様等を付しておくことにより、エアコンを取り付けていないときの美観を損ねない。
【考案を実施するための最良の形態】
【００１４】
以下、本考案の実施の形態を詳細に説明する。
【実施例１】
【００１５】
図１は、実施例１のエアコン室内機の取付ユニットを示す説明図である。
この実施例の取付ユニットは、建物の壁体１２に配管１９を介して挿通されたドレン管１４、冷媒管１６、電線１８の各片方端末部を収納する箱体２０と、この箱体２０の開口面に配設される蓋体２２とを備えている。箱体２０の裏板２１には、任意の位置に、ドレン管１４、冷媒管１６、電線１８の各片方端末部を引き入れるための貫通口２１Ａが設けられている。箱体２０は壁体１２に適当な手段で固定される。箱体２０の開口面に蓋体２２が着脱自在に取り付けられている。
【００１６】
ドレン管１４、冷媒管１６、電線１８は、壁体１２の配管１９から裏板２１の貫通口２１Ａを挿通して、その端末部のみが箱体２０内に収納されているものである。なお、本実施例においては、ドレン管１４、冷媒管１６、電線１８が図４に示されるように１つに束ねられている場合に限定されない。例えば、図３に示されるように裏板２１に他の貫通口２１Ｂを設けることにより、冷媒管１６及び電線１８と、ドレン管１４とを別の貫通口から箱体２０内に収納される場合にも適用可能である。
【００１７】
箱体正面の開口面には、蓋体２２を箱体２０にビス止めするときに使用する蓋体取付孔２５と、エアコン室内機を箱体２０に取り付けるときに使用する室内機取付孔３２とが設けられている。蓋体２２にも蓋体取付孔２５に対応する取付孔２９が設けられている。
【００１８】
室内機取付孔３２は、取り付ける室内機のサイズに合った位置に設ける必要がある。このために、箱体２０の正面枠の一部を広く形成したり、補助板を設置して適当な位置に室内機取付孔３２等を設けるようにすればよい。箱体２０は、室内機を長期間保持し得る機械的強度を有する、木材、プラスチック材料、金属材料により形成されている。
【００１９】
エアコンの室内機を取り付ける際は、先ず、箱体２０から蓋体２２を取外し、箱体２０内に収納されているドレン管１４、冷媒管１６、電線１８の各片方端末部を室内機の各接続部に接続する。この後、図２に示すように、箱体２０開口面に室内機１０を配置し、室内機取付孔３２を利用して箱体２０に固定する。図２に示すように、近くに建築物の柱３０があっても何等の問題なく室内機１０の取付を行うことができる。
【００２０】
蓋体２２の表面には、模様付き壁紙等を貼り付ける等を行って、色彩あるいは模様が付されていてもよい。エアコンを取り付けていないとき、蓋体２２の表面に好みの色彩や模様を付していることにより美観を保持できる。
【実施例２】
【００２１】
図３は実施例２のエアコン室内機の取付ユニットを示す説明図であり、図１と共通する部分には同一符号を付している。
この実施例の取付ユニットは、箱体２０内に、任意の大きさのドレン受け皿２８を備えたものである。
【００２２】
ドレン受け皿２８は、横長で上面解放された、任意の大きさの容器であり、底面にドレン抜き孔２６を有している。箱体２０の裏板２１に、冷媒管１６、電線１８を挿通させる貫通口２１Ａとドレン管１４を挿通させる貫通口２１Ｂが設けられている。ドレン受け皿２８のドレン抜き孔２６に、貫通口２１Ｂから箱体２０内に収納されたドレン管１４の一端が連結されている。
【００２３】
エアコン室内機を取り付けていないときは、図３に示した状態の箱体２０の開口面に、図１に示した蓋体２２と同様の蓋体が取り付けられている。使用時には、蓋体を取外し、箱体２０内に収納されている冷媒管１６、電線１８の各片方端末部を室内機の各接続部に接続する。室内機のドレン管を、ドレン受け皿２８の上面の任意の位置に置き適宜固定する。なお、ドレン受け皿２８は、室内機から発生したドレン水がドレン受け皿２８からドレン管１４内を自然に流れて外部に排出され易いように、箱体２０では貫通口２１Ｂより高い最適な位置に配置され固定されていることが望ましい。
【００２４】
このように、箱体２０内にドレン受け皿２８を備えていることにより、エアコン室内機を取り付ける際に、同室内機のドレン管をドレン受け皿２８の上面の任意の位置に置くだけなので、同室内機の取付工事がさらに簡便になる。
【図面の簡単な説明】
【００２５】
【図１】実施例１のエアコン室内機の取付ユニットを示す斜視図である。
【図２】同取付ユニットの使用状態を示す斜視図である。
【図３】実施例２のエアコン室内機の取付ユニットを示す斜視図である。
【図４】ドレン管、冷媒管及び電線を建築物の壁体内に挿通し、各端末部を配管を経て外部に露出した状態を示す断面図である。
【図５】同配管の位置と室内機の取付状況の説明図である。
【符号の説明】
【００２６】
１０  室内機
１２  壁体
１４  ドレン管
１６  冷媒管
１８  電線
１９  配管
２０  箱体
２１  裏板
２１Ａ  貫通口
２２  蓋体
２３  スペース
２５  蓋体取付孔
２６  ドレン抜き孔
２８  ドレン受け皿
３０  柱
【図１】
0003121193.tif 000003
【図２】
0003121193.tif 000004
【図３】
0003121193.tif 000005
【図４】
0003121193.tif 000006
【図５】
0003121193.tif 000007